(57)【要約】      （修正有）【課題】ウォーターサーバーにおいて飲料用液体を急速に冷却することが可能なウォーターサーバー用冷却装置を提供する。【解決手段】飲料用液体を貯留するタンク４を内蔵するウォーターサーバーにおいて、前記タンク４内の前記飲料用液体を冷却するウォーターサーバー用冷却装置であって、前記タンク４内に配置され、内部に冷媒が循環される熱交換器、前記熱交換器と接続されて前記冷媒を循環させる圧縮機１４、凝縮器１５および膨張弁１９を備え、前記圧縮機１４がインバータ１６によって制御され、前記熱交換器はステンレス管１３であり、前記冷媒が循環する前記ステンレス管１３によって前記タンク４内の飲料用液体を急速冷却する。【選択図】図２
0003182002.tif 000002
【実用新案登録請求の範囲】
【請求項１】
飲料用液体を貯留するタンクを内蔵するウォーターサーバーにおいて、前記タンク内の前記飲料用液体を冷却するウォーターサーバー用冷却装置であって、
前記タンク内に配置され、内部に冷媒が循環される熱交換器、前記熱交換器と接続されて前記冷媒を循環させる圧縮機、凝縮器および膨張弁を備え、
前記圧縮機がインバータによって制御され、
前記熱交換器はステンレス管であり、前記冷媒が循環する前記ステンレス管によって前記タンク内の飲料用液体を急速冷却することを特徴とするウォーターサーバー用冷却装置。
【請求項２】
前記タンク内の飲料用液体の温度をセンサーによって測定し、前記タンク内の飲料用液体の温度に合わせて前記圧縮機および前記凝縮器を制御する制御手段を備えたことを特徴とする請求項１に記載のウォーターサーバー用冷却装置。
【考案の詳細な説明】
【技術分野】
【０００１】
本考案は、ウォーターサーバーにおいて飲料用液体を冷却するウォーターサーバー用冷却装置に関する。
【背景技術】
【０００２】
ウォーターサーバーは、ボトル等に飲料用液体、例えば飲料水を入れて、ウォーターサーバーの利用者に配布し、利用者は飲料水の入ったボトルをウォーターサーバーの上部にセットする。そして、水を飲む時にウォーターサーバーのスイッチを押すと、飲料水が供給されるという装置であった。このようなものとしては、特許文献１に記載されているものがある。
【０００３】
ウォーターサーバーでは、冷たい又は温かい飲料水を提供するために、冷却装置および加熱装置を内蔵している。ウォーターサーバーに使用される冷却装置としては、例えば、冷水タンクの外側に冷媒が流れる冷却パイプを配置した一般的な冷凍サイクル（特許文献２参照）が用いられている。
【先行技術文献】
【特許文献】
【０００４】
【特許文献１】特開２００７−２１０６６７号公報
【特許文献２】特開２００３−１２８１９４号公報
【考案の概要】
【考案が解決しようとする課題】
【０００５】
しかしながら、従来のウォーターサーバーに用いられている冷却装置は、タンク内の飲料水などを冷却するためには、時間がかかるために、飲料用液体を連続して、あるいは大量に供給する場合には、供給に冷却が追い付かずに十分に冷却されないまま飲料用液体が供給されるという問題があった。
【０００６】
そこで、本考案は前記問題を解決するために、ウォーターサーバーにおいて飲料用液体を急速に冷却することが可能なウォーターサーバー用冷却装置を提供することを目的とする。
【課題を解決するための手段】
【０００７】
本考案のウォーターサーバー用冷却装置は、飲料用液体を貯留するタンクを内蔵するウォーターサーバーにおいて、前記タンク内の前記飲料用液体を冷却するウォーターサーバー用冷却装置であって、前記タンク内に配置され、内部に冷媒が循環される熱交換器、前記熱交換器と接続されて前記冷媒を循環させる圧縮機、凝縮器および膨張弁を備え、前記圧縮機がインバーターによって制御され、前記熱交換器はステンレス管であり、前記冷媒が循環する前記ステンレス管によって前記タンク内の飲料用液体を急速冷却することを特徴とする。
【０００８】
さらに、前記タンク内の飲料用液体の温度をセンサによって測定し、前記タンク内の飲料用液体の温度に合わせて前記圧縮機および前記凝縮器を制御する制御手段を備えている。
【考案の効果】
【０００９】
本考案のウォーターサーバー用冷却装置は、飲料用液体を貯留するタンクを内蔵するウォーターサーバーにおいて、前記タンク内の前記飲料用液体を冷却するウォーターサーバー用冷却装置であって、前記タンク内に配置され、内部に冷媒が循環される熱交換器、前記熱交換器と接続されて前記冷媒を循環させる圧縮機、凝縮器および膨張弁を備え、前記圧縮機がインバーターによって制御され、前記熱交換器はステンレス管であり、前記冷媒が循環する前記ステンレス管によって前記タンク内の飲料用液体を急速冷却することにより、飲料用液体を絶えず冷えた状態で供給することが可能となる。
【図面の簡単な説明】
【００１０】
【図１】本考案のウォーターサーバー用冷却装置が用いられるウォーターサーバーの正面図である。
【図２】本考案のウォーターサーバー用冷却装置の概略構成図である。
【考案を実施するための形態】
【００１１】
本考案のウォーターサーバー用冷却装置１を、図を用いて以下に詳細に説明する。図１が本考案のウォーターサーバー用冷却装置１が用いられるウォーターサーバー１０の正面図であり、内部構造の一部を破線を用いて示している。図２に示すのが本考案のウォーターサーバー用冷却装置１の概略構成図である。
【００１２】
先ず初めに、本考案のウォーターサーバー用冷却装置１が用いられるウォーターサーバー１０について簡単に説明する。前記ウォーターサーバー１０は、図１に示すように、本体２と、前記本体２の上部にセットされるボトルホルダー３から構成される。前記本体２の内部には、飲料用液体を貯留する冷却タンク４および飲料用液体を温める加熱タンク５を内蔵し、前記本体２の正面には冷やされた飲料用液体あるいは温められた飲料用液体を供給する２つの供給口６，７が設けられている。ここでは、飲料用液体として飲料水を用いる場合について説明するが、飲料水に限らずその他の飲料用液体を用いることも可能である。
【００１３】
前記ウォーターサーバー１０は、ビニール袋９を用いて飲料用液体が供給される。前記ビニール袋９にニード１１によって孔を開け、ビニール袋９内の飲料用液体を本体２へと供給する。前記ニードル１１に接続された配管１２を通じてビニール袋９内の飲料水が前記本体２に設けられた前記冷却タンク４および前記加熱タンク５へと送られる。
【００１４】
本考案のウォーターサーバー用冷却装置１は、冷凍サイクルを応用したもので前記冷却タンク４内の飲料用液体を冷却するために前記本体２に内蔵されており、熱交換器、圧縮機１４、および凝縮器１５を備えており、前記熱交換器を冷却タンク４内に配置し、前記熱交換器によって前記冷却タンク４内の飲料用液体を急速冷却するものである。
【００１５】
前記熱交換器としてステンレス管１３を用いており、前記ステンレス管１３は、前記冷却タンク４内に螺旋状に配置されている。そして、前記冷却タンク４の外部には、前記ステンレス管１３内に冷媒を循環させるために、前記ステンレス管１３と接続された前記圧縮機１４、前記凝縮器１５および膨張弁１９が配置されている。さらに、前記圧縮機１４を制御するためのインバーター１６が前記圧縮機１４には接続されている。
【００１６】
また、前記ウォーターサーバー用冷却装置１は、前記冷却タンク４内に、前記冷却タンク４内の飲料用液体の温度を測定するための温度センサ１７を備えており、さらに、前記圧縮機１４、前記凝縮器１５、前記膨張弁１９および前記インバーター１６を制御し、前記ステンレス管１３内を循環させる冷媒を調節するための制御装置１８を備える。
【００１７】
前記制御装置１８は、前記温度センサ１７によって得られる前記冷却タンク４内の飲料水の温度に応じて、前記圧縮機１４、前記凝縮器１５、前記膨張弁１９および前記インバーター１６を制御して、前記冷却タンク４内の飲料水の温度を調節するものである。例えば、前記冷却タンク４内の飲料水の温度が下がりすぎて飲料水が凍る可能性がある場合には、冷却を一時中断するように、前記圧縮機１４、前記凝縮器１５、前記膨張弁１９および前記インバーター１６を制御する。
【００１８】
その後、前記冷却タンク４内の飲料用液体の温度が上昇した場合には、前記制御装置１８は、再び冷媒を前記ステンレス管１３内を循環させるように、前記圧縮機１４、前記凝縮器１５、前記膨張弁１９および前記―１６を制御する。このような制御を行うことにより、冷却タンク４内の飲料水を絶えず適切な温度に保つことが可能となる。
【００１９】
また、飲料用液体の温度を使用者が設定することができるように、前記本体２にスイッチ等を設けることも可能である。この際に、前記制御装置１８を用いることで簡単に設定温度を変更することも可能である。
【００２０】
本考案のウォーターサーバー用冷却装置１は、熱交換器としてステンレス管１３を前記冷却タンク４内に直接配置することで、熱交換の効率が良くなり前記冷却タンク４内の飲料用液体を急速冷却することが可能となる。また、インバーター１６を用いることでも、効率良く冷却することが可能となる。ステンレスは従来の熱交換器に使用される銅よりも熱伝導率は低くなるが、直接、冷却対象物である飲料用液体と接触することで、冷却効率を高めている。
【００２１】
また、本考案のウォーターサーバー１は、飲料用液体を急速冷却することが可能であるので、前記冷却タンク４の用量を従来よりも小さくすることができる。これは、前記冷却タンク４内の飲料用液体が無くなっても直ぐに冷却することで予め大量の飲料用液体を冷やした状態で保存する必要がないためである。
【００２２】
本考案のウォーターサーバー用冷却装置１は、冷却装置を用いるものであればどのような形態のウォーターサーバーでも使用可能である。また、ウォーターサーバー以外でも飲料用液体を冷却するものであれば使用することも可能である。
【符号の説明】
【００２３】
１      ウォーターサーバー用冷却装置
２      本体
３      ボトルホルダー
４      冷却タンク
５      加熱タンク
６      供給口
７      供給口
９      ビニール袋
１０    ウォーターサーバー
１１    ニードル
１３    ステンレス管
１４    圧縮機
１５    凝縮器
１６    インバーター
１７    温度センサ
１８    制御装置
【図１】
0003182002.tif 000003
【図２】
0003182002.tif 000004